(57)【要約】【課題】  従来、トレイが装置本体から引き出された状態においても、トレイに設けられた機構部の静電破壊を防止することが可能なディスクドライブ装置が求められていた。【解決手段】  上記課題を解決するべく、ディスクを搭載可能に構成されたトレイ部５のディスク搭載面と対向する面が金属板３とされた本体部１から、前記トレイ部５が本体部１外部に引き出される際、一端部がこの本体部１に他端部が前記トレイ部５に接続され、少なくともその片面に導電性シート１３を有するガイドシート１２とに具備し、前記トレイ部５が本体部１外部に引き出された際に前記ガイドシート１２の前記導電性シート１３面が前記本体部１の金属板の内面側に接触するよう前記ガイドシート１２を配置した。【選択図】  図１
2005158114.tif 000002
【特許請求の範囲】
【請求項１】
ディスクを搭載可能に構成されたトレイ部と、このトレイ部に組み込まれ前記ディスクを回転させるモーター及びディスクから信号を再生するピックアップを有する機構部と、前記トレイ部を収納し、ディスク装着時には一端部に設けられた開口部から前記トレイ部を外部に引き出せるよう前記トレイ部をスライド可能に支持すると共に、前記トレイ部のディスク搭載面と対向する面が金属板とされた本体と、一端部がこの本体に接続され他端部が前記トレイ部に接続されると共に少なくともその片面が導電性を有するシート状部材とを具備し、前記トレイ部が本体外部に引き出された際に前記シート状部材の前記導電性を有する面が前記本体の金属板の内面側に接触するよう前記シート状部材を配置したことを特徴とするディスクドライブ装置。
【請求項２】
請求項１記載のディスクドライブ装置において、前記トレイ部は導電部材を具備し、前記シート状部材は、この導電部材を介して前記機構部と接続されることを特徴とするディスクドライブ装置。
【請求項３】
請求項１記載のディスクドライブ装置において、前記シート状部材は、前記トレイ部が本体外部に引き出された際に前記シート状部材の前記導電性を有する面が前記本体の金属板の内面側に湾曲して接触するような強度を有した材質で形成されていることを特徴とするディスクドライブ装置。
【発明の詳細な説明】
【技術分野】
【０００１】
本発明は、光ディスク等のディスクを駆動するディスクドライブ装置に関する。
【背景技術】
【０００２】
光学式ディスクドライブ等のディスク装置で薄型化を図ったものは、ディスクの装着・交換時にディスク搭載用のトレイが装置本体から引き出される構造を採用している。そしてこのトレイはピックアップヘッドやディスク駆動用のスピンドルモータが内蔵された機構部を有する。この場合、上記トレイが装置本体から引き出された際には、装置本体とトレイとは両者に設けられた回路間を電気的に接続するフレキシブル印刷基板を除き電気的に独立しており、ディスクをトレイに載置する際に上記機構部に触れる等した場合には静電破壊が生じる恐れがあった。
【０００３】
しかしながら、トレイが引き出された際の静電破壊防止を図ったものは見当たらないのが現状である。特許文献１には、ディスク装置のヘッドと回路基板とを接続するフレキシブルプリント基板（ＦＰＣ）表面に帯電防止処理を施すことにより、ディスクカセット等との摩擦によって発生する静電気の発生を防止したディスク装置が開示されているが、トレイが引き出される形のものでもなく、そのままでは活用できない。
【特許文献１】特開平６−３０９７７０号公報（第３頁、図４）
【発明の開示】
【発明が解決しようとする課題】
【０００４】
上述したように、従来のディスクドライブ装置においては、トレイが装置本体から引き出された際には、静電破壊が生じる恐れがあるという問題があった。
【０００５】
本発明はこのような点に鑑みてなされたもので、トレイが装置本体から引き出された状態においても、トレイに設けられた機構部の静電破壊を防止することが可能なディスクドライブ装置を提供することを目的とする。
【課題を解決するための手段】
【０００６】
上記目的を達成するために、請求項１にかかるディスクドライブ装置は、ディスクを搭載可能に構成されたトレイ部と、このトレイ部に組み込まれ前記ディスクを回転させるモーター及びディスクから信号を再生するピックアップを有する機構部と、前記トレイ部を収納し、ディスク装着時には一端部に設けられた開口部から前記トレイ部を外部に引き出せるよう前記トレイ部をスライド可能に支持すると共に、前記トレイ部のディスク搭載面と対向する面が金属板とされた本体と、一端部がこの本体に接続され他端部が前記トレイ部に接続されると共に少なくともその片面が導電性を有するシート状部材とを具備し、前記トレイ部が本体外部に引き出された際に前記シート状部材の前記導電性を有する面が前記本体の金属板の内面側に接触するよう前記シート状部材を配置したことを特徴とするものである。
【０００７】
また、請求項２にかかるディスクドライブ装置は、請求項１記載のディスクドライブ装置において、請求項１記載のディスクドライブ装置において、前記トレイ部は導電部材を具備し、前記シート状部材は、この導電部材を介して前記機構部と接続されることを特徴とするものである。
【０００８】
さらに、請求項３にかかるディスクドライブ装置は、請求項１記載のディスクドライブ
装置において、請求項１記載のディスクドライブ装置において、前記シート状部材は、前記トレイ部が本体外部に引き出された際に前記シート状部材の前記導電性を有する面が前記本体の金属板の内面側に湾曲して接触するような強度を有した材質で形成されていることを特徴とするものである。
【発明の効果】
【０００９】
本発明によれば、トレイ部が本体から引き出された状態においても、トレイ部に設けられた機構部の静電破壊を防止することが可能なディスクドライブ装置を提供することが出来る。
【発明を実施するための最良の形態】
【００１０】
以下、本発明になるディスクドライブ装置の実施の形態について、図面を参照して説明する。
【００１１】
図１は本発明になるディスクドライブ装置の一実施の形態を示す分解斜視図であり、この図は後述するトレイ部が装置本体部から引き出された状態を示している。図中、１はディスクドライブ装置の本体部（筐体）であり、金属製の底板２及び同じく金属製の天板３、底板２に設けられたメイン印刷配線板（以下、メインＰＣＢという）４から主として構成されている。
【００１２】
一方、５は図示せぬディスクが載置される樹脂成形品のトレイ部である。このトレイ部５には、ディスクをチャッキングするチャッキング部６が取り付けられた、ディスクを回転駆動するためのスピンドルモータ７及びディスクから信号を読み取るピックアップヘッド（以下、単にピックアップという）８、ピックアップ８の送り機構（図示せず）、同じくピックアップ８の傾角調整機構（図示せず）を備えた機構部９がゴム製のダンパー（図示せず）を介して取り付けられている。
【００１３】
上記トレイ部５は、両側面部に配置された金属製レール１０、１１によって本体部１（底板２）に対してスライド可能に支持されている。トレイ部５は、ディスク動作中及び休止中には本体部１に収納されているが、ディスク装着時には図に示すように本体部１からせり出し、ディスクの装着が可能となるものである。
【００１４】
１２は一方の面に導電性シート１３が貼り付けられたガイドシートであり、その一端は本体部１の底板２に取着され、他端はトレイ部５に取着されている。ガイドシート１２はトレイ部５のせり出し及び収納動作に支障が生じないようにその長さが設定されている。そしてトレイ部５のせり出し時には、材質強度から上方に湾曲し、ガイドシート１２の導電性シート１３が貼り付けられた面が天板３の内面側に接触することになる。
【００１５】
なお、１４はコ字状のフレキシブル印刷配線板（以下、ＦＰＣという）であって、その一端部１４１は本体部１のメインＰＣＢ４と接続され、他端部１４２は図中、上方に折り返された上でトレイ部５に設けられたスピンドルモータ７の駆動用ＩＣ等が搭載された基板（図示せず）に接続されている。
【００１６】
次に、さらに他の図面を用いて、ガイドシート１２とトレイ部５との接続状態について詳細に説明する。
【００１７】
図２は、図１のディスクドライブ装置の裏面図及び要部断面図である。また、図３は、図２の一点鎖線で囲んだ部分Ａの拡大平面図（図３（Ａ））及び断面図（図３（Ｂ））である。なお、図１と同一部分には同一符号を付してその説明は省略する。またＦＰＣ１４は他の部品を表示するために一部を欠載している。
【００１８】
ガイドシート１２のトレイ部５との接続側は、トレイ部５に取り付けられた導電材である板ばね２１の一端側２１１をこのシート１２とトレイ部５との間に挟み込むようにして板ばね２１と接触している。２２は板ばね２１及びシート１２をトレイ部５に固定するためのホルダである。また、板ばね２１の他端側２１２は二股状になっており、その一方は機構部９の基板２３（の金属面）に、他方は機構部９の金属製カバー（底板）２４に接触している（特に図３（Ｂ）を参照）。
【００１９】
以上の実施の形態によれば、機構部９と本体部１との導電性が良好となり、機構部９に設けられたＩＣやピックアップ８の静電破壊を防ぐことができる。すなわち、トレイ部５の機構部９と本体部１とは板ばね２１及びガイドシート１２の導電性シート１３にて電気的に接続され、トレイ部５が本体部１からせり出す時には導電性シート１３が本体部１の金属製天板３の内面側に接触する。従って、ディスクの装着時に機構部９に静電気が与えられた場合でも、静電気が本体部１に逃げることで、機構部９の静電破壊を防ぐことができる。
【００２０】
上述したように、機構部９はゴム製のダンパーを介してトレイ部５に取り付けられ、このトレイ部５は複雑な形状が要求されることから樹脂成形品が用いられている。従って、上記構成が存在しない場合、トレイ部５が本体１から引き出された状態においては、機構部９はＦＰＣ１４等の信号ケーブルを別として電気的に独立していたため、静電破壊の恐れが心配されるが、本実施の形態によれば、このような問題が生じにくい。
【図面の簡単な説明】
【００２１】
【図１】本発明になるディスクドライブ装置の一実施の形態を示す斜視図。
【図２】図１の装置の裏面図及び要部断面図。
【図３】図２の要部拡大平面図及び同断面図。
【符号の説明】
【００２２】
１：  ディスクドライブ装置の本体部
２：  底板
３：  天板
５：  トレイ部
６：  チャッキング部
７：  スピンドルモータ
８：  ピックアップヘッド
９：  機構部
１０、１１：  金属製レール
１２：  ガイドシート
１３：  導電性シート
２１：  板ばね
２３：  基板
２４：  カバー（底板）
【図１】
2005158114.tif 000003
【図２】
2005158114.tif 000004
【図３】
2005158114.tif 000005